(57)【要約】【課題】複数の吹出口から気流の吹き出しを行う空気調和機本体の特定の運転の際、ユーザが操作できる気流と操作できない気流を設けた時その区別を容易に視認可能とする空気調和機のリモコン装置を提供することを目的とする。【解決手段】室内機本体２０の中央と左右にそれぞれ送風ファンと吹出口が個別に配置され、各吹出口から吹き出される気流の風量と風向とを個別に調節可能な空気調和機本体を運転操作する空気調和機のリモコン装置１０であって、運転操作画面を表示する表示部１４と、表示部１４に室内機２０と各吹出口から吹き出す気流方向を斜め横方向から見た画像を表示させるように制御するリモコン制御部１１と、を備え、各吹出口から吹き出す気流のうち、ユーザが操作できる気流と操作できない気流とを、区別できるように表示するよう制御を行うリモコン制御部１１を備えている。【選択図】図３
2014115000.tif 000002
【特許請求の範囲】
【請求項１】
室内機本体の中央と左右にそれぞれ送風ファンと吹出口が個別に配置され、各吹出口から吹き出される気流の風量と風向とを個別に調節可能な空気調和機本体を運転操作する空気調和機のリモコン装置であって、
運転操作画面を表示する表示部と、
前記表示部に前記室内機と前記各吹出口から吹き出す気流方向を斜め横方向から見た画像を表示させるように制御する制御部と、
を備え、
前記空気調和機は、前記各吹出口から吹き出す気流のうち特定の吹出口からの吹き出す気流を前記リモコン装置から操作できないようにした時、
前記制御部は、前記各吹出口から吹き出す気流のうち、前記リモコン装置から操作できる気流と操作できない気流とを、区別できるように表示することを特徴とする空気調和機のリモコン装置。
【請求項２】
前記空気調和機本体を運転操作する際に、特定の運転モードにおいて、各運転モードに適した既定の風向や風量に自動設定する自動設定モードを選択する操作キー部をさらに備え、
前記特定の運転モードの運転中に前記操作キー部により自動設定モードが選択されると、前記制御部は、前記各吹出口から吹き出される気流を前記運転モードに適した風向と風量に設定すると共に、前記リモコン装置から操作できる気流と操作できない気流とを区別できるように表示させることを特徴とする請求項１に記載の空気調和機のリモコン装置。
【発明の詳細な説明】
【技術分野】
【０００１】
本発明は、複数の吹出口を備えた空気調和機本体の運転操作を行う空気調和機のリモコン装置に関する。
【背景技術】
【０００２】
従来の空気調和機は、冷房運転や暖房運転などを選択すると、運転内容に応じて空気の吹き出し方向（気流方向）が最良となるような設定で運転が行われている。例えば、空気調和機の冷房運転時には、部屋の空気よりも比重の重い冷気を吹き出すため、吹き出し方向を上向きにして部屋全体に冷気を循環させるようにしている。また、空気調和機の暖房運転時には、部屋の空気よりも比重の軽い暖気を吹き出すため、吹き出し方向を下向きにして部屋全体に暖気を循環させるようにしている。このように、運転内容に応じて気流方向を変える場合は、空気の吹き出し口が１つであればリモコンの表示部に室内機を横向きして気流の上下方向を表示するだけでユーザは容易に理解することができる。
【０００３】
最近の空気調和機では、複数の吹出口を備えたものもあり、より細かい気流制御ができる。この種の空気調和機では、吹き出す気流が複数の部分気流で構成されていて、上下風向制御板と左右風向制御板がそれぞれ左右２つに独立しているため、吹き出される調和空気の気流は、左右独立した部分気流となって吹き出される（例えば、特許文献１参照）。
【先行技術文献】
【特許文献】
【０００４】
【特許文献１】特開２０１２−４２１３８号公報
【発明の概要】
【発明が解決しようとする課題】
【０００５】
しかしながら、特許文献１に示す空気調和機にあっては、左右２つの独立した部分気流を吹き出し、この気流の状態をユーザが操作するリモコン装置の表示部に平面的に表示しているため、左右方向の風向は把握できても、上下方向の風向については視認性が悪く、把握が難しい。
【０００６】
さらに、特許文献１よりも吹出口の数が多く、各吹出口毎にファンが配置され、風向、風量がそれぞれ異なる空気調和機になると、平面的な気流表示だけでは気流の状態を視認性良く把握することは困難である。
【０００７】
特に、近年の空気調和機では、冷房運転や暖房運転などの特定の運転モードに適した空気の吹き出し方向（気流方向）と風量とを自動的に設定する、いわゆる「自動設定モード」が普及しつつある。その中で、風向あるいは風量の調節によっては快適性を失わないように複数ある気流のうち「自動設定モード」中にユーザが操作できる気流と操作できない気流を設けてその区別をリモコン装置の表示部に視認性良く表示できるものはなかった。
【０００８】
本発明は、上記に鑑みてなされたものであって、複数の吹出口から気流の吹き出しを行う空気調和機本体の運転時に、ユーザが操作できる気流と操作できない気流の区別を容易に視認可能とする空気調和機のリモコン装置を提供することを目的とする。
【課題を解決するための手段】
【０００９】
上述した目的を達成するために、本発明の空気調和機のリモコン装置は、室内機本体の中央と左右にそれぞれ送風ファンと吹出口が個別に配置され、各吹出口から吹き出される気流の風量と風向とを個別に調節可能な空気調和機本体を運転操作する空気調和機のリモコン装置であって、運転操作画面を表示する表示部と、前記表示部に前記室内機と前記各吹出口から吹き出す気流方向を斜め横方向から見た画像を表示させるように制御する制御部と、を備え、前記空気調和機は、前記各吹出口から吹き出す気流のうち特定の吹出口からの吹き出す気流を前記リモコン装置から操作できないようにした時、前記制御部は、前記各吹出口から吹き出す気流のうち、前記リモコン装置から操作できる気流と操作できない気流とを、区別できるように表示することを特徴とする。
【００１０】
本発明の空気調和機のリモコン装置では、前記空気調和機本体を運転操作する際に、特定の運転モードにおいて、各運転モードに適した既定の風向や風量に自動設定する自動設定モードを選択する操作キー部をさらに備え、前記特定の運転モードの運転中に前記操作キー部により自動設定モードが選択されると、前記制御部は、前記各吹出口から吹き出される気流を前記運転モードに適した風向と風量に設定すると共に、前記リモコン装置から操作できる気流と操作できない気流とを区別できるように表示させることを特徴とする。
【発明の効果】
【００１１】
本発明の空気調和機のリモコン装置によれば、空気調和機の室内機の運転操作を行うリモコン装置の制御部は、表示部に室内機と各吹出口から吹き出す気流方向を斜め横方向から見た画像を表示させるように制御すると共に、各吹出口から吹き出す気流のうち、ユーザが操作できる気流と操作できない気流とを、区別できるように表示部に表示するため、特定の運転モードに適した気流の風向と風量とを自動的に設定し、風向あるいは風量の調節によっては運転モードに適した気流が失わないように複数の吹出口から吹き出される気流のうち操作できる気流と操作できない気流を設けてその区別を容易に視認できるという効果を奏する。
【図面の簡単な説明】
【００１２】
【図１】図１は、本発明の一実施例にかかる空気調和機の室内機とリモコン装置とを表す外観斜視図である。
【図２】図２は、本実施例の空気調和機本体の室内機および室外機における概略構成を表すブロック図である。
【図３】図３は、本実施例の空気調和機のリモコン装置および室内機における機能を表すブロック図である。
【図４−１】図４−１は、本実施例にかかる空気調和機のリモコン装置の平面図である。
【図４−２】図４−２は、図４−１の空気調和機のリモコン装置の詳細設定キーを表す平面図である。
【図５】図５は、本実施例にかかる空気調和機のリモコン装置の運転操作における動作を説明するフローチャートである。
【図６】図６は、本実施例にかかる空気調和機のリモコン装置の表示部に表示される室内機画像の図である。
【図７】図７は、本実施例にかかる空気調和機のリモコン装置の表示部に表示される冷房運転中の画像例の図である。
【図８】図８は、本実施例にかかる空気調和機のリモコン装置の表示部に表示される除湿運転中の画像例の図である。
【図９−１】図９−１は、本実施例にかかる空気調和機のリモコン装置の表示部に表示される暖房運転中の画像例の図である。
【図９−２】図９−２は、本実施例にかかる空気調和機のリモコン装置の表示部に表示される暖房運転中の画像例の図である。
【図１０】図１０は、本実施例にかかる空気調和機のリモコン装置の表示部に表示される送風運転中の画像例の図である。
【図１１】図１１は、本実施例にかかる空気調和機のリモコン装置の表示部に表示される左右サイドファンの風向設定画面例の図である。
【図１２】図１２は、本実施例にかかる空気調和機のリモコン装置の表示部に表示される全てのファンの風向設定画面例の図である。
【図１３】図１３は、本実施例にかかる空気調和機のリモコン装置の表示部に表示される左右サイドファンの風量設定画面例の図である。
【図１４】図１４は、本実施例にかかる空気調和機のリモコン装置の表示部に表示される全てのファンの風量設定画面例の図である。
【発明を実施するための形態】
【００１３】
以下に、本発明にかかる空気調和機のリモコン装置の実施例を図面に基づいて詳細に説明する。なお、この実施例によりこの発明が限定されるものではない。
【００１４】
図１は、本発明の一実施例にかかる空気調和機の室内機とリモコン装置とを表す外観斜視図であり、図２は、本実施例の空気調和機本体の室内機および室外機における概略構成を表すブロック図であり、図３は、本実施例の空気調和機のリモコン装置および室内機における機能を表すブロック図であり、図４−１は、本実施例にかかる空気調和機のリモコン装置の平面図であり、図４−２は、図４−１の空気調和機のリモコン装置の詳細設定キーを表す平面図である。
【００１５】
図１に示すように、本実施例に用いられる空気調和機の室内機２０は、本体ユニット２６３とその両側に左ファンユニット２６１と右ファンユニット２６２とを備える。室内機２０の本体ユニット２６３は、主筐体２７を備える。主筐体２７では、筐体本体２８に外装パネル２９が覆い被さる。筐体本体２８には、中央吹出口３０が形成される。外装パネル２９の上部には、図示しない吸込口が形成される。中央吹出口３０は、下向きに開口している。このような筐体本体２８は、例えば室内の壁面に固定することができる。その際、中央吹出口３０は、前端３０ａは後端３０ｂに比べて上方の位置に配置される。その結果、中央吹出口３０は、所定の傾斜角αで前上がりの姿勢に形成される。このような傾斜角αの働きで、気流は中央吹出口３０から床面に向かって下向きに吹き出すことができるだけでなく、床面に対して平行（水平方向）に吹き出すこともできる。
【００１６】
そして、中央吹出口３０には、前後一対の上下風向板３１ａ、３１ｂが配置される。上下風向板３１ａ、３１ｂは、それぞれ水平軸線３２ａ、３２ｂ回りで回転することができる。これら水平軸線３２ａ、３２ｂは、上下風向板３１ａ、３１ｂの後端に設定されればよい。回転に応じて上下風向板３１ａ、３１ｂは、中央吹出口３０を開閉することができる。
【００１７】
また、筐体本体２８の両側面には、個別に左ファンユニット２６１と右ファンユニット２６２が設置される。つまり、左ファンユニット２６１と右ファンユニット２６２は、筐体本体２８の側壁の外側に配置される。左ファンユニット２６１は、左サイドファン筐体３３１を備えており、左吹出口３４１が形成されている。右ファンユニット２６２は、右サイドファン筐体３３２を備えており、右吹出口３４２が形成されている。この左吹出口３４１と右吹出口３４２は、不図示の駆動機構によって、水平軸線３５回りでそれぞれ回転することができる。上記した水平軸線３２ａ、３２ｂと水平軸線３５とは、図１に示すように、相互に平行に延びている。筐体３３１と筐体３３２の側面には、サイドパネル３６が覆い被さる。このサイドパネル３６には、側面吸込口３７が形成される。側面吸込口３７は、図１に示すように、例えば複数の小開口を集合させて形成する。
【００１８】
本実施例にかかる空気調和機は、上記した室内機２０との間で無線による双方向通信により遠隔から運転操作が行えるリモコン装置１０を備えている。
【００１９】
本実施例にかかる空気調和機の室内機および室外機は、図２に示すように構成されている。上記した室内機２０の本体ユニット２６３内には、室内熱交換器２６４および中央送風ファン２６５が組み込まれる。中央送風ファン２６５は、クロスフローファンの回転に応じて気流を生成する。本体ユニット２６３には、中央送風ファン２６５の働きにより室内空気が吸い込まれ、室内熱交換器２６４で冷媒と熱交換を行って通り抜ける。この室内熱交換器２６４を通り抜けた後の冷気または暖気の気流は、本体ユニット２６３の中央吹出口３０から吹き出される。また、室内熱交換器２６４を通り抜けた気流の流量は、クロスフローファンの毎分回転数に応じて調整される。室内熱交換器２６４では、この気流の流量に応じて冷媒と空気との間で交換される熱エネルギー量を調整することができる。
【００２０】
室外機４０の冷凍回路４１は、図２に示すように、四方弁４２、圧縮機４３、室外熱交換機４４、膨張弁４５、室外ファン４６、および冷媒管５０などで構成されている。例えば、冷凍回路４１で冷房運転が設定されると、四方弁４２は、第２口４２ｂおよび第３口４２ｃを相互に接続し、第１口４２ａおよび第４口４２ｄを相互に接続する。これにより、圧縮機４３の吐出管４３ｂから高温高圧の冷媒が室外熱交換機４４に供給される。冷媒は、室外熱交換機４４、膨張弁４５および室内熱交換器２６４を順番に流通する。室外熱交換機４４では、冷媒の熱エネルギーが外気に放出される。冷媒は、膨張弁４５で低圧まで減圧され、室内熱交換器２６４において周囲の空気から吸熱する。これにより生成された冷気は、中央送風ファン２６５の働きで室内空間に流される。室内熱交換器２６４で吸熱した冷媒は、四方弁４２を介して圧縮機４３に戻される。
【００２１】
また、冷凍回路４１で暖房運転が設定されると、四方弁４２は、第２口４２ｂおよび第４口４２ｄを相互に接続し、第１口４２ａおよび第３口４２ｃを相互に接続する。これにより、圧縮機４３の吐出管４３ａから高温高圧の冷媒が室内熱交換器２６４に供給される。冷媒は、室内熱交換器２６４、膨張弁４５および室外熱交換機４４を順番に流通する。室内熱交換機２６４では、冷媒の熱エネルギーが周囲の空気に放出され、暖気が生成される。暖気は、中央送風ファン２６５の働きで室内空間に流される。冷媒は、膨張弁４５で低圧まで減圧され、室外熱交換器４４において周囲の空気から吸熱する。その後、冷媒は圧縮機４３に戻される。
【００２２】
このように、本実施例にかかる空気調和機の左ファンユニット２６１および右ファンユニット２６２は、本体ユニット２６３とは独立して設けられ、ファンと吹出口とをそれぞれ備えているため、各吹出口から吹き出される空気の風向・風量を個別に制御することが可能となる。中央吹出口３０から吹き出される空気は、熱交換器２６４を通り抜けた冷気または暖気の気流であり、左吹出口３４１と右吹出口３４２から吹き出される空気は、吸い込んだ室内空気をそのまま吹き出した気流である。
【００２３】
そして、冷房運転の場合、中央吹出口３０から吹き出される比重の重い冷気を上向きに吹き出し、左吹出口３４１と右吹出口３４２からの気流は、中央吹出口３０からの気流より暖かいため、中央吹出口３０から吹き出される方向より下方に向けて吹き出すことで、冷気を下から持ち上げて天井付近に広く拡げ、冷気を室内にむらなく循環させることができるともに、風向の向きによってはユーザに涼風を当てる役目をする。この場合の各吹出口から吹き出す気流をリモコン装置の表示部で表すと図７となる。
【００２４】
また、暖房運転の場合、冷房運転の場合とは逆となり、中央吹出口３０から吹き出される比重の軽い暖気を床面方向に吹き出し、左吹出口３４１と右吹出口３４２からの気流は、中央吹出口３０からの気流より冷たいため、中央吹出口３０から吹き出される方向より上方に向けて吹き出すことで、暖気を上から抑えつけて暖気を床面に広く拡げて、暖気を室内にむらなく循環させることができる。この場合の各吹出口から吹き出す気流をリモコン装置の表示部で表すと図９−１となる。ただし、実際には、左吹出口３４１と右吹出口３４２からの気流を上に向け過ぎると、中央吹出口３０からの暖気を抑える効果がなくなるため、左吹出口３４１と右吹出口３４２からの気流は、中央吹出口３０からの気流より少し上向きにする程度なので、リモコン装置の表示部では図９−２のように同方向として表示する。
【００２５】
上記した空気調和機は、図３に示すように、リモコン装置１０と室内機２０との間で無線による双方向通信を行うことで運転を遠隔操作することができる。室内機２０には、この室内機２０の各部、および室外機４０を制御する制御部２１を備えている。また、室内機２０は、リモコン装置１０からの操作信号を受信すると共に、リモコン装置１０に対して運転情報を送信する送受信部２２、空気調和機の制御に関わるプログラムやデータを記憶する記憶部２３、制御部２１からの制御信号を室外機４０へ送信すると共に、室外機４０からの運転情報を受信して制御部２１にその情報を送る通信部２４、室温を計測する温度センサや人を感知する人感センサなどの検知部２５、および制御部２１からの制御信号に基づいて室外機４０と協働して室内の熱交換を行って空調を行う運転部２６などを備えている。
【００２６】
リモコン装置１０には、ユーザの操作に従って空気調和機本体の制御や後述する表示部に表示する画像データの表示制御を行う制御部としてのリモコン制御部１１、リモコン装置１０の制御に関わるプログラムやデータを記憶し、かつ空気調和機の現在の設定値等を記憶する記憶部１２、ユーザの操作を受け付ける操作キー部１３、運転情報などの情報やユーザが操作する際の操作画面を表示する表示部１４、ユーザの操作に従って操作信号を室内機２０に送信すると共に、室内機２０からの運転情報を受信する送受信部１５、および時刻や時間を計時するタイマ部１６などを備えている。
【００２７】
リモコン装置１０の表面には、図４−１に示すように、運転情報などをドットマトリクスで表示するＬＣＤ（液晶ディスプレイ）や有機ＥＬ（有機エレクトロルミネッセンス）などで構成された表示部１４と、各種の運転操作を受け付ける多数の操作キー部１３とが配置されている。操作キー部１３には、気流調整を行う際の選択に用いる十字キー１３ａ、選択した内容を決定する決定キー１３ｂ、各種運転モードに適した既定の風向や風量に自動的に行う自動設定モードにするおまかせキー１３ｃ、風向や風量をユーザが任意に手動設定モードにするおこのみキー１３ｄ、運転開始と運転停止を行う運転／停止キー１３ｅ、上下の矢印ボタンで設定温度を変更する温度キー１３ｆ、風量の変更設定を行う風量キー１３ｇ、現在の室温や電気代などの情報を室内機２０に確認し、室内機２０からの受信した情報を表示部１４に表示させるおしらせキー１３ｈ、冷房運転モードでの運転開始や他の運転モードから冷房運転モードに切り換える冷房キー１３ｉ、除湿運転モードでの運転開始や他の運転モードから除湿運転モードに切り換える除湿キー１３ｋ、暖房運転モードでの運転開始や他の運転モードから暖房運転モードに切り換える暖房キー１３ｊ、および送風運転モードでの運転開始や他の運転モードから送風運転モードに切り換える送風キー１３ｍなどがある。
【００２８】
リモコン装置１０の操作キー部１３の蓋１３ｎを開けると、図４−２に示すように、中には詳細設定キーが配置されている。詳細設定キーには、環境温度に応じて暖房運転か冷房運転かを自動選択するモードに切り換える自動運転キー１３ｏ、洗濯物などの乾燥に用いるランドリーキー１３ｐ、インバータ駆動によるピーク電流を抑えて運転することでブレーカーの切断を防いだり、省エネ運転を図る電流カットキー１３ｑ、時間によってエアコンの動作を制御するタイマキー１３ｔ、急速な加熱や冷却を行うハイパワーキー１３ｒ、および人感センサにより人が不在になった場合にエアコンの運転を停止あるいはセーブする不在ＥＣＯキー１３ｓなどがある。
【００２９】
上述のように構成された本実施例の空気調和機のリモコン装置を用いて、以下に動作を説明する。図５は、本実施例にかかる空気調和機のリモコン装置の運転操作における動作を説明するフローチャートであり、図６は、本実施例にかかる空気調和機のリモコン装置の表示部に表示される室内機画像の図であり、図７は、本実施例にかかる空気調和機のリモコン装置の表示部に表示される冷房運転中の画像例の図であり、図８は、本実施例にかかる空気調和機のリモコン装置の表示部に表示される除湿運転中の画像例の図であり、図９−１、および図９−２は、本実施例にかかる空気調和機のリモコン装置の表示部に表示される暖房運転中の画像例の図であり、図１０は、本実施例にかかる空気調和機のリモコン装置の表示部に表示される送風運転中の画像例の図であり、図１１は、本実施例にかかる空気調和機のリモコン装置の表示部に表示される左右サイドファンの風向設定画面例の図であり、図１２は、本実施例にかかる空気調和機のリモコン装置の表示部に表示される全てのファンの風向設定画面例の図であり、図１３は、本実施例にかかる空気調和機のリモコン装置の表示部に表示される左右サイドファンの風量設定画面例の図であり、図１４は、本実施例にかかる空気調和機のリモコン装置の表示部に表示される全てのファンの風量設定画面例の図である。
【００３０】
まず、図４−１のリモコン装置１０の運転／停止キー１３ｅを押下すると、出荷時に設定された運転モード、あるいは前回停止時の運転モードでエアコン運転を開始する（図５のステップＳ１００）。また、ユーザが図４−１のリモコン装置１０の冷房キー１３ｉ、除湿キー１３ｋ、暖房キー１３ｊ、送風キー１３ｍ、あるいは、図４−２の自動運転キー１３ｏのいずれかのキーを押下すると、指定された運転モードでエアコン運転が開始される（ステップＳ１００）。
【００３１】
本実施例では、説明を簡略化するため、図５に示すように、運転モードの種類を気流方向の設定が同じ冷房／除湿（冷房または除湿）運転モードと、暖房／送風（暖房または送風）運転モードとの２種類に分けて説明する。開始された運転モードの種類が冷房／除湿運転モードの場合は（ステップＳ１０１）、図７の冷房運転中、あるいは図８の除湿運転中であることを表す表示をリモコン装置１０の表示部１４に表示させる。この表示画像は、図３に示すリモコン装置１０の記憶部１２に記憶された表示画像データを用いてリモコン制御部１１が作成し、表示部１４に表示させる。
【００３２】
本実施例の空気調和機のリモコン装置の特徴は、運転操作される空気調和機がこれまでに無い複数のファンと複数の吹出口を備えたものであっても、各吹出口から吹き出される気流の状態をユーザが容易に視認可能にリモコン装置の表示部１４に表示させるようにした点にある。これにより、ユーザは、リモコン装置１０の表示部１４を見ただけで、現在の運転状況における気流の状態を把握することができ、必要に応じて的確な気流調整を行うことができる。
【００３３】
リモコン制御部１１は、図６に示すような画像を作成し、表示部１４に表示させるようにしている。具体的には、室内機２０を斜め横方向から見た奥行き感のある立体的な画像データを記憶部１２に予め作成して記憶させておく。リモコン制御部１１は、記憶部１２から室内機２０を斜め横方向から見た奥行き感のある画像データを読み出す。冷房運転モードにおける推奨される気流状態は、本体ユニット２６３の中央吹出口３０から吹き出す気流（冷気）２６３０を上向きにし、左ファンユニット２６１の左吹出口３４１から吹き出す気流（室内空気）２６１０と、右ファンユニット２６２の右吹出口３４２から吹き出す気流（室内空気）２６２０とをそれぞれ下向きにする。つまり、冷房運転モードで自動設定モードの場合は、中央吹出口３０から吹き出す冷気が室内空気より比重が重く、冷気を室内にむらなく循環させるためには、中央吹出口３０から吹き出す上向きの気流２６３０のユーザによる操作を不許可として固定する。また、左吹出口３４１と右吹出口３４２から吹き出す気流（室内空気）２６１０、２６２０は、気流（冷気）２６３０の流れを補助するものであるため、ユーザによる操作を許可する。つまり、本実施例にかかるリモコン制御部１１は、ユーザによる操作が可能な気流か否かを気流表示の濃淡、あるいはハッチングやドットといった表現形態を変えて表示するように制御する。
【００３４】
具体的には、リモコン装置１０の表示部１４の表示面自体は、２次元であるが、遠近法を使って室内機２０を斜め横方向から見た画像を表示させると立体的な画像に見え、奥行き方向の異なる吹出口から気流を吹き出している場合、手前側の気流で奥側の気流を隠すように重ねて表示することでより奥行き感を表現できる。さらに、本実施例のリモコン装置１０のリモコン制御部１１は、図６に示すように、ユーザが操作できない気流２６３０を薄い網点で灰色の表示をし、ユーザが操作できる気流２６１０、２６２０を濃い網点で黒色の表示をする。これにより、ユーザは、リモコン装置１０の表示部１４を見るだけで、複数の気流のうちどれが操作可能な気流かを容易に視認できる。気流操作の可否は、この濃淡以外にも、例えばハッチングやドットといった表現形態を変えることで識別可能にしてもよい。また、表示部１４にカラー表示可能なディスプレイ（ＬＣＤや有機ＥＬなど）を用いるならば、気流操作の可否を色の違い（例えば、緑色と黄色）で表現することで識別可能にしてもよい。
【００３５】
本実施例における空気調和機は、運転モードが決定されると、その運転モードに適した風向と風量に自動設定される自動設定モードとなる。ユーザの意思で風向と風量を任意に設定したい場合は、図４−１に示すように、ユーザがリモコン装置１０のおこのみキー１３ｄを押下すると自動設定モードが解除され、手動設定モードに切り換わる。おこのみキー１３ｄが押下されなければ、常に自動設定モードとなり、運転モードに適した風向と風量に自動設定されるが、風向あるいは風量の調節によっては運転モードに適した気流を失わないように気流によって操作可能なものと操作不可能なものとがある。
【００３６】
本実施例のリモコン装置１０の表示部１４に表示される図７の冷房運転中の画面、および、図８の除湿運転中の画面（ステップＳ１０２）は、冷房／除湿（冷房または除湿）運転モードで自動設定モードになっている。つまり、図７に示すように、表示部の画面には、上から運転モードの種類として「冷房」（図８では「除湿」）の文字を表示し、室内機を斜め横方向から見た画像に中央吹出口から上向き方向の気流を灰色で表示することで、ユーザが操作不可の気流であることを示し、左右の吹出口からの下向き方向の気流を黒色で表示することで、ユーザが操作可能な気流であることを示している。風量は自動設定モードの自動設定であることを示す「風量自動」の文字を表示している。風量操作は、風向の場合と同様であり、操作可能な気流であれば「風量自動」の文字が表示されていれば、風量調整を行うことができる。さらに、表示部の画面には、冷房（図８では除湿）の設定温度が「２８℃」であることが表示され、省電力モードの「電流カット」と「不在ＥＣＯ」が設定されていることが表示されている。
【００３７】
冷房／除湿運転中に気流調節キー１３ａが押下された場合は（ステップＳ１０３でＹｅｓ）、左右の吹出口からの風向を連動して設定する図１１の風向設定画面を表示する（ステップＳ１０４）。連動操作可能な左右の風向の設定は、図１１に示すように、気流調節キー１３ａの十字キーの上下矢印を使って上下方向の風向の調整と、左右矢印を使って左右方向の風向の調整を行い、最後に決定キー１３ｂを押下して風向設定が完了する（ステップＳ１０５）。
【００３８】
続いて、リモコン装置１０の風量キー１３ｇの押下の有無を判断し、風量キー１３ｇが押下された場合は（ステップＳ１０６でＹｅｓ）、左右の吹出口からの風量と連動して設定する図１３の風量設定画面を表示する（ステップＳ１０７）。連動操作可能な左右の風量の設定は、図１３に示すように、気流調節キー１３ａの十字キーの上下矢印を使って希望の風量を選択し、最後に決定キー１３ｂを押下して風量設定が完了する（ステップＳ１０８）。上記ステップＳ１０３で気流調節キー１３ａが押下されなかった場合（ステップＳ１０３でＮｏ）は、風向設定処理がスキップされる。また、上記ステップＳ１０６で風量キー１３ｇが押下されなかった場合は（ステップＳ１０６でＮｏ）、風量設定処理がスキップされる。冷房／除湿運転中に運転／停止キー１３ｅが押下された場合は（ステップＳ１０９でＹｅｓ）、エアコン運転を停止する（ステップＳ１１０）。ステップＳ１０９で運転／停止キー１３ｅが押下されなかった場合は（ステップＳ１０９でＮｏ）、ステップＳ１０２に戻り、設定変更された風向や風量で運転モードが継続される。
【００３９】
他方、図５のステップＳ１０１において、開始された運転モードの種類が暖房／送風運転モードの場合は、図９−２の暖房運転中、あるいは図１０の送風運転中であることを表す表示をリモコン装置１０の表示部１４に表示させる。この表示画像は、図３に示すリモコン装置１０の記憶部１２に記憶された表示画像データを用いてリモコン制御部１１が画像を作成し、表示部１４に表示させる。
【００４０】
暖房運転モードの場合、リモコン制御部１１は、図９−２に示すような画像を作成し、表示部１４に表示させる。具体的には、室内機２０を斜め横方向から見た奥行き感のある立体的な画像データを記憶部１２から読み出す。暖房運転モードにおける推奨される気流状態は、図９−１のように本体ユニット２６３の中央吹出口３０から吹き出す気流（暖気）２６３０を下向きにし、左ファンユニット２６１の左吹出口３４１から吹き出す気流（室内空気）２６１０と右ファンユニット２６２の右吹出口３４２から吹き出す気流（室内空気）２６２０の向きを中央吹出口３０から吹き出す気流（暖気）２６３０の向きより上向きにする。つまり、暖房運転モードで自動設定モードの場合は、中央吹出口３０から吹き出す暖気が室内空気より比重が軽く、暖気を室内にむらなく循環させるためには、中央吹出口３０から吹き出す気流２６３０を下向きにする。また、左吹出口３４１と右吹出口３４２から吹き出す気流（室内空気）２６１０、２６２０は、気流（暖気）２６３０の上から抑えつけるように吹き出すことで、暖気を床面に広く拡げて、暖気を室内にむらなく循環させるように補助する。実際には、左吹出口３４１と右吹出口３４２からの気流を上に向け過ぎると、中央吹出口３０からの暖気を抑える効果がなくなるため、左吹出口３４１と右吹出口３４２からの気流は、中央吹出口３０からの気流より少し上向きにする程度なので、リモコン装置の表示部では図９−２のように同方向として表示する。
【００４１】
送風運転モードの場合、リモコン制御部１１は、図１０に示すような画像を作成し、表示部１４に表示させる。具体的には、室内機２０を斜め横方向から見た画像データを記憶部１２から読み出す。暖房または送風運転モードにおける推奨される気流状態は、本体ユニット２６３の中央吹出口３０から吹き出す気流（室内空気）２６３０と、左ファンユニット２６１の左吹出口３４１から吹き出す気流（室内空気）２６１０と、右ファンユニット２６２の右吹出口３４２から吹き出す気流（室内空気）２６２０とを全て下向きにする。
【００４２】
この暖房や送風運転モードの場合は、ユーザが全ての気流を連動操作することが可能である。このため、本実施例のリモコン装置１０のリモコン制御部１１は、図９−２、図１０に示すように、ユーザが操作できる全ての気流を下向きの濃い網点で黒色表示させる。これにより、ユーザは、リモコン装置１０の表示部１４を見るだけで、全ての気流が操作できることが容易に視認できる。また、気流操作の可否表示は、風向の場合と同様に、気流の濃淡表示以外に、例えばハッチングやドットといった表現形態を変えたり、カラー表示可能なディスプレイであれば色を変えたりすることで表現できる。
【００４３】
本実施例のリモコン装置１０の表示部１４に表示される図９−２の暖房運転中の画面、および、図１０の送風運転中の画面（ステップＳ１１１）は、暖房／送風（暖房または送風）運転モードで自動設定モードになっている。つまり、図９−２に示すように、表示部の画面には、上から運転モードの種類として「暖房」（図１０では「送風」）の文字を表示し、室内機を斜め横方向から見た画像に中央吹出口と左右の吹出口からそれぞれ下向き方向の気流を黒色で表示することで、ユーザが全ての気流を操作可能であることを示している。風量は自動設定モードの自動設定であることを示す「風量自動」の文字が表示されているが、風向の場合と同様であり、全ての気流の風量調整を連動して行うことができる。さらに、表示部の画面には、暖房（図１０では送風）の設定温度が「１８℃（図１０では２８℃）」であることが表示され、省電力モードの「電流カット」と「不在ＥＣＯ」が設定されていることが表示されている。
【００４４】
暖房／送風運転中に気流調節キー１３ａが押下された場合は（ステップＳ１１２でＹｅｓ）、全ての吹出口からの風向を連動して設定する図１２の風向設定画面を表示する（ステップＳ１１３）。連動操作可能な全ての風向の設定は、図１２に示すように、気流調節キー１３ａの十字キーの上下矢印を使って上下方向の風向の調整と、左右矢印を使って左右方向の風向の調整を行い、最後に決定キー１３ｂを押下して風向設定が完了する（ステップＳ１１４）。
【００４５】
続いて、リモコン装置１０の風量キー１３ｇの押下の有無を判断し、風量キー１３ｇが押下された場合は（ステップＳ１１５でＹｅｓ）、全ての吹出口から吹き出される気流の風量を連動して設定する図１４の風量設定画面を表示する（ステップＳ１１６）。連動操作可能な全ての風量の設定は、図１４に示すように、気流調節キー１３ａの十字キーの上下矢印を使って希望の風量を選択し、最後に決定キー１３ｂを押下して風量設定が完了する（ステップＳ１１７）。上記ステップＳ１１２で気流調節キー１３ａが押下されなかった場合（ステップＳ１１７でＮｏ）は、風向設定処理がスキップされる。また、上記ステップＳ１１５で風量キー１３ｇが押下されなかった場合（ステップＳ１１５でＮｏ）は、風量設定処理がスキップされる。暖房／送風運転中に運転／停止キー１３ｅが押下された場合は（ステップＳ１１８でＹｅｓ）、エアコン運転を停止する（ステップＳ１１０）。ステップＳ１１８で運転／停止キー１３ｅが押下されなかった場合は（ステップＳ１１８でＮｏ）、ステップＳ１１１に戻り、設定変更された風向や風量で運転モードが継続される。
【００４６】
このように、本実施例にかかる空気調和機のリモコン装置あっては、室内機の中央と左右にそれぞれ送風ファンと吹出口が配置され、各吹出口から吹き出される気流の風量と風向とを個別に調節可能であって、運転操作画面を表示する表示部に室内機と前記各吹出口から吹き出す気流方向を斜め横方向から見た画像を表示させるように制御するリモコン制御部１１は、各吹出口から吹き出す気流のうち、ユーザが操作できる気流と操作できない気流とを、気流表示の濃淡、あるいはハッチングやドットといった表現形態を変えて表示部に表示するようにしたため、複数の吹出口から気流を吹き出す空気調和機本体の運転時に、ユーザが操作できる気流と操作できない気流の区別を容易に視認することができる。
【００４７】
また、本実施例にかかる空気調和機のリモコン装置にあっては、カラー表示可能な表示部を用いた場合、各吹出口から吹き出す気流のうち、ユーザが操作できる気流と操作できない気流とを、気流の色を変えてリモコン制御部１１で表示するようにしたため、複数の吹出口から気流を吹き出す空気調和機本体の運転時に、ユーザが操作できる気流と操作できない気流の区別を容易に視認することができる。
【００４８】
また、本実施例にかかる空気調和機のリモコン装置あっては、特定の運転モードの運転中で自動設定モードの場合に、リモコン制御部１１は、各吹出口から吹き出される気流を運転モードに適した風向と風量に設定すると共に、ユーザが操作できる気流と操作できない気流とが区別できるように気流表示を変えて表示するようにしたため、自動設定モードでも各運転モードに応じてユーザが操作できる気流と操作できない気流の区別が容易となり、これを視認して調整することができる。
【産業上の利用可能性】
【００４９】
以上のように、本発明にかかる空気調和機のリモコン装置は、空気調和機の室内機の中央と左右にそれぞれ送風ファンと吹出口が配置され、各吹出口から吹き出される気流の風量と風向とを個別に調節可能な空気調和機本体を運転操作する場合に有用であり、特に、特定の運転モードに適した気流の風向と風量とを自動的に設定し、風向あるいは風量の調節によっては運転モードに適した気流を失わないように複数の吹出口から吹き出される気流のうち操作できる気流と操作できない気流を設けてその区別を容易に視認できる空気調和機のリモコン装置に適している。
【符号の説明】
【００５０】
１０  リモコン装置
１１  リモコン制御部
１２  記憶部
１３  操作キー部
１３ａ  十字キー
１３ｂ  決定キー
１３ｃ  おまかせキー
１３ｄ  おこのみキー
１３ｅ  運転／停止キー
１３ｆ  温度キー
１３ｇ  風量キー
１３ｈ  おしらせキー
１３ｉ  冷房キー
１３ｊ  暖房キー
１３ｋ  除湿キー
１３ｍ  送風キー
１３ｎ  蓋
１３ｏ  自動運転キー
１３ｐ  ランドリーキー
１３ｑ  電流カットキー
１３ｒ  ハイパワーキー
１３ｓ  不在ＥＣＯキー
１３ｔ  タイマキー
１４  表示部
１５  送受信部
２０  室内機
２１  制御部
２２  送受信部
２３  記憶部
２４  通信部
２５  検知部
２６  運転部
２７  主筐体
２８  筐体本体
２９  外装パネル
３０  中央吹出口
３０ａ  前端
３０ｂ  後端
３１ａ、３１ｂ  上下風向板
３２ａ、３２ｂ、３５  水平軸線
３６  サイドパネル
３７  側面吸込口
４０  室外機
４１  冷凍回路
４２  四方弁
４２ａ  第１口
４２ｂ  第２口
４２ｃ  第３口
４２ｄ  第４口
４３  圧縮機
４３ａ、４３ｂ  吐出管
４４  室外熱交換器
４５  膨張弁
４６  室外ファン
５０  冷媒管
２６１  左ファンユニット
２６１０  気流
２６２  右ファンユニット
２６２０  気流
２６３  本体ユニット
２６３０  気流
２６４  室内熱交換器
２６５  中央送風ファン
３３１  左サイドファン筐体
３３２  右サイドファン筐体
３４１  左吹出口
３４２  右吹出口
【図１】
2014115000.tif 000003
【図２】
2014115000.tif 000004
【図３】
2014115000.tif 000005
【図４−１】
2014115000.tif 000006
【図４−２】
2014115000.tif 000007
【図５】
2014115000.tif 000008
【図６】
2014115000.tif 000009
【図７】
2014115000.tif 000010
【図８】
2014115000.tif 000011
【図９−１】
2014115000.tif 000012
【図９−２】
2014115000.tif 000013
【図１０】
2014115000.tif 000014
【図１１】
2014115000.tif 000015
【図１２】
2014115000.tif 000016
【図１３】
2014115000.tif 000017
【図１４】
2014115000.tif 000018